(57)【特許請求の範囲】
【請求項１】
エアインタフェース容量密度を調整する装置であって、
エアインタフェース容量密度が調整される必要があるターゲット物理セルが論理セルに存在するか判定するよう構成される判定モジュールであって、前記論理セルは１つ以上の物理セルを含み、各物理セルはピコ無線リモートユニット（ｐＲＲＵ）のグループを含み、１つの物理セルは１つのベースバンド支流に対応し、前記エアインタフェース容量密度は物理セルにおける単位エリア毎のエアインタフェース容量であり、前記論理セルは単一周波数ネットワーク（ＳＦＮ）セルである、判定モジュールと、
前記判定モジュールの判定結果が、エアインタフェース容量密度が調整される必要があるターゲット物理セルが前記論理セルに存在することであるとき、前記ターゲット物理セルにおけるｐＲＲＵの数を調整することによって、前記ターゲット物理セルのエアインタフェース容量密度を調整するよう構成される調整モジュールと、
を有する装置。
【請求項２】
前記判定モジュールが、エアインタフェース容量密度が調整される必要があるターゲット物理セルが前記論理セルに存在するか判定する具体的な方式は、
エアインタフェース容量密度が減少される必要があるターゲット物理セルが前記論理セルに存在するか判定するか、又は、
エアインタフェース容量密度が増加される必要があるターゲット物理セルが前記論理セルに存在するか判定することである、請求項１記載の装置。
【請求項３】
前記判定モジュールが、エアインタフェース容量密度が増加される必要があるターゲット物理セルが前記論理セルに存在すると判定するとき、前記調整モジュールが前記ターゲット物理セルのエアインタフェース容量密度を調整する具体的な方式は、
前記ターゲット物理セルにおけるｐＲＲＵの数を減少させることである、請求項２記載の装置。
【請求項４】
前記判定モジュールが、エアインタフェース容量密度が増加される必要があるターゲット物理セルが前記論理セルに存在すると判定するとき、前記調整モジュールが前記ターゲット物理セルのエアインタフェース容量密度を調整する具体的な方式は、
前記ターゲット物理セルを少なくとも２つの物理セルに分割し、
分割によって取得された前記少なくとも２つの物理セルの各物理セルについて対応するベースバンド支流を別々に設定することである、請求項２記載の装置。
【請求項５】
前記判定モジュールが、エアインタフェース容量密度が減少される必要があるターゲット物理セルが前記論理セルに存在すると判定するとき、前記調整モジュールが前記ターゲット物理セルのエアインタフェース容量密度を調整する具体的な方式は、
前記ターゲット物理セルにおけるｐＲＲＵの数を増加させることである、請求項２記載の装置。
【請求項６】
前記判定モジュールが、エアインタフェース容量密度が減少される必要があるターゲット物理セルが前記論理セルに存在すると判定するとき、前記調整モジュールが前記ターゲット物理セルのエアインタフェース容量密度を調整する具体的な方式は、
前記ターゲット物理セルに隣接し、エアインタフェース容量密度が減少される必要がある物理セルを前記ターゲット物理セルに合成することである、請求項２記載の装置。
【請求項７】
前記ターゲット物理セルに追加されるｐＲＲＵは、前記ターゲット物理セルに隣接し、エアインタフェース容量密度が増加される必要がある物理セルから削除されるｐＲＲＵである、請求項５記載の装置。
【請求項８】
前記ターゲット物理セルから削除されるｐＲＲＵは、前記ターゲット物理セルに隣接し、エアインタフェース容量密度が減少される必要がある物理セルに合成されるのに利用される、請求項３記載の装置。
【請求項９】
エアインタフェース容量密度を調整する装置であって、
メモリ及びプロセッサを有し、
前記メモリはプログラムコードのグループを記憶し、
前記プロセッサは、以下の処理、
エアインタフェース容量密度が調整される必要があるターゲット物理セルが論理セルに存在するか判定する処理であって、前記論理セルは１つ以上の物理セルを含み、各物理セルはピコ無線リモートユニット（ｐＲＲＵ）のグループを含み、１つの物理セルは１つのベースバンド支流に対応し、前記エアインタフェース容量密度は物理セルにおける単位エリア毎のエアインタフェース容量であり、前記論理セルは単一周波数ネットワーク（ＳＦＮ）セルである、判定する処理と、
エアインタフェース容量密度が調整される必要があるターゲット物理セルが存在する場合、前記ターゲット物理セルにおけるｐＲＲＵの数を調整することによって、前記ターゲット物理セルのエアインタフェース容量密度を調整する処理と、
を実行するため、前記メモリに記憶される前記プログラムコードを呼び出すよう構成される装置。
【請求項１０】
前記プロセッサが、エアインタフェース容量密度が調整される必要があるターゲット物理セルが前記論理セルに存在するか判定する具体的な方式は、
エアインタフェース容量密度が減少される必要があるターゲット物理セルが前記論理セルに存在するか判定するか、又は、
エアインタフェース容量密度が増加される必要があるターゲット物理セルが前記論理セルに存在するか判定することである、請求項９記載の装置。
【請求項１１】
前記プロセッサが、エアインタフェース容量密度が増加される必要があるターゲット物理セルが前記論理セルに存在すると判定するとき、前記プロセッサが前記ターゲット物理セルのエアインタフェース容量密度を調整する具体的な方式は、
前記ターゲット物理セルにおけるｐＲＲＵの数を減少させることである、請求項１０記載の装置。
【請求項１２】
前記プロセッサが、エアインタフェース容量密度が増加される必要があるターゲット物理セルが前記論理セルに存在すると判定するとき、前記プロセッサが前記ターゲット物理セルのエアインタフェース容量密度を調整する具体的な方式は、
前記ターゲット物理セルを少なくとも２つの物理セルに分割し、
分割によって取得された前記少なくとも２つの物理セルの各物理セルについて対応するベースバンド支流を別々に設定することである、請求項１０記載の装置。
【請求項１３】
前記プロセッサが、エアインタフェース容量密度が減少される必要があるターゲット物理セルが前記論理セルに存在すると判定するとき、前記プロセッサが前記ターゲット物理セルのエアインタフェース容量密度を調整する具体的な方式は、
前記ターゲット物理セルにおけるｐＲＲＵの数を増加させることである、請求項１０記載の装置。
【請求項１４】
前記プロセッサが、エアインタフェース容量密度が減少される必要があるターゲット物理セルが前記論理セルに存在すると判定するとき、前記プロセッサが前記ターゲット物理セルのエアインタフェース容量密度を調整する具体的な方式は、
前記ターゲット物理セルに隣接し、エアインタフェース容量密度が減少される必要がある物理セルを前記ターゲット物理セルに合成することである、請求項１０記載の装置。
【請求項１５】
前記ターゲット物理セルに追加されるｐＲＲＵは、前記ターゲット物理セルに隣接し、エアインタフェース容量密度が増加される必要がある物理セルから削除されるｐＲＲＵである、請求項１３記載の装置。
【請求項１６】
前記ターゲット物理セルから削除されるｐＲＲＵは、前記ターゲット物理セルに隣接し、エアインタフェース容量密度が減少される必要がある物理セルに合成されるのに利用される、請求項１１記載の装置。
【請求項１７】
エアインタフェース容量密度を調整する方法であって、
エアインタフェース容量密度が調整される必要があるターゲット物理セルが論理セルに存在するか判定するステップであって、前記論理セルは１つ以上の物理セルを含み、各物理セルはピコ無線リモートユニット（ｐＲＲＵ）のグループを含み、１つの物理セルは１つのベースバンド支流に対応し、前記エアインタフェース容量密度は物理セルにおける単位エリア毎のエアインタフェース容量であり、前記論理セルは単一周波数ネットワーク（ＳＦＮ）セルである、判定するステップと、
エアインタフェース容量密度が調整される必要があるターゲット物理セルが存在する場合、前記ターゲット物理セルにおけるｐＲＲＵの数を調整することによって、前記ターゲット物理セルのエアインタフェース容量密度を調整するステップと、
を有する方法。
【請求項１８】
エアインタフェース容量密度が調整される必要があるターゲット物理セルが前記論理セルに存在するか判定するステップは、
エアインタフェース容量密度が減少される必要があるターゲット物理セルが前記論理セルに存在するか判定するか、又は、
エアインタフェース容量密度が増加される必要があるターゲット物理セルが前記論理セルに存在するか判定するステップを含む、請求項１７記載の方法。
【請求項１９】
エアインタフェース容量密度が増加される必要があるターゲット物理セルが存在する場合、前記ターゲット物理セルのエアインタフェース容量密度を調整するステップは、
前記ターゲット物理セルにおけるｐＲＲＵの数を減少させるステップを含む、請求項１８記載の方法。
【請求項２０】
エアインタフェース容量密度が増加される必要があるターゲット物理セルが存在する場合、前記ターゲット物理セルのエアインタフェース容量密度を調整するステップは、
前記ターゲット物理セルを少なくとも２つの物理セルに分割するステップと、
分割によって取得された前記少なくとも２つの物理セルの各物理セルについて対応するベースバンド支流を別々に設定するステップと、
を含む、請求項１８記載の方法。
【請求項２１】
エアインタフェース容量密度が減少される必要があるターゲット物理セルが存在する場合、前記ターゲット物理セルのエアインタフェース容量密度を調整するステップは、
前記ターゲット物理セルにおけるｐＲＲＵの数を増加させるステップを含む、請求項１８記載の方法。
【請求項２２】
エアインタフェース容量密度が減少される必要があるターゲット物理セルが存在する場合、前記ターゲット物理セルのエアインタフェース容量密度を調整するステップは、
前記ターゲット物理セルに隣接し、エアインタフェース容量密度が減少される必要がある物理セルを前記ターゲット物理セルに合成するステップを含む、請求項１８記載の方法。
【請求項２３】
前記ターゲット物理セルに追加されるｐＲＲＵは、前記ターゲット物理セルに隣接し、エアインタフェース容量密度が増加される必要がある物理セルから削除されるｐＲＲＵである、請求項２１記載の方法。
【請求項２４】
前記ターゲット物理セルから削除されるｐＲＲＵは、前記ターゲット物理セルに隣接し、エアインタフェース容量密度が減少される必要がある物理セルに合成されるのに利用される、請求項１９記載の方法。
【発明の詳細な説明】
【技術分野】
【０００１】
本発明は、モバイル通信技術の分野に関し、具体的には、エアインタフェース容量密度を調整する方法及び装置に関する。
【背景技術】
【０００２】
無線リモートユニット（Ｒａｄｉｏ  Ｒｅｍｏｔｅ  Ｕｎｉｔ，ＲＲＵ）マルチサイトセル技術は、複数のＲＲＵの信号がベースバンド上で１つのセルの信号として処理されることを表す。この技術は、主に屋内カバレッジシナリオに適用される。屋内カバレッジは、屋内のユーザグループの建物内のモバイル通信環境を改善するために用いられるスキームであり、当該スキームは広く適用される。モバイル通信技術の急速な発達と共に、モバイル通信トラフィックの７０％以上が屋内で行われ、エアインタフェース容量に対する屋内カバレッジの需要もまた継続的に増加する。
【０００３】
一般に、大きな屋内カバレッジは、特定の分割ルール（例えば、トラフィック及び人口の分布等）に従って複数の論理セルに分割され、固定的なエアインタフェース容量が各論理セルのために配備される。実際の適用では、論理セルの負荷はしばしばアンバランスとなる。論理セルの１つがオーバロードであるとき（例えば、人口及びトラフィックが混雑している）、論理セルは“オーバロード論理セル”として参照される。オーバロード論理セルの固定的なエアインタフェース容量は、オーバロード論理セルにおけるユーザ装置（Ｕｓｅｒ  Ｅｑｕｉｐｍｅｎｔ，ＵＥ）のアクセス要求を満たすことができず、ユーザ体感を劣化させる。しかしながら、別の論理セルは、大量のアイドルのエアインタフェース容量を有する可能性があり、エアインタフェース容量の浪費を生じさせる。
【０００４】
現在、オーバロード論理セルのエアインタフェース容量が不十分である一方、別の論理セルのエアインタフェース容量がアイドルである上記のケースについて、従来技術は、“論理セルの自動合成及び分割”の解決策を提供し、すなわち、基地局は、論理セルの負荷状況に従って論理セルの合成又は分割を決定する。論理セルがオーバロードであるとき、オーバロード論理セルは分割され、基地局はセルライセンス（Ｌｉｃｅｎｓｅ）リソースを新たに追加された論理セルに追加する。しかしながら、論理セルの負荷状況は経時的に変わり、長い間は続かないため、セルライセンスリソースの浪費を生じさせる。エアインタフェースに接続されるＵＥが、調整対象（分割又は合成）の論理セルのカバレッジエリアに存在するとき、ＵＥは新たな論理セルに再接続される必要があり、ＵＥのためのエアインタフェース接続の中断（すなわち、サービスの中断）を生じさせる。
【発明の概要】
【０００５】
本発明の実施例は、論理セルにおける物理セルのエアインタフェース容量密度を動的に調整可能であるエアインタフェース容量密度を調整する方法及び装置を開示する。
【０００６】
本発明の実施例の第１の態様は、エアインタフェース容量密度を調整する装置であって、
エアインタフェース容量密度が調整される必要があるターゲット物理セルが論理セルに存在するか判定するよう構成される判定モジュールであって、前記論理セルは１つ以上の物理セルを含み、各物理セルはピコ無線リモートユニットｐＲＲＵのグループを含み、１つの物理セルは１つのベースバンド支流に対応する、判定モジュールと、
前記判定モジュールの判定結果が、エアインタフェース容量密度が調整される必要があるターゲット物理セルが前記論理セルに存在することであるとき、前記ターゲット物理セルのエアインタフェース容量密度を調整するよう構成される調整モジュールと、
を有する装置を開示する。
【０００７】
本発明の実施例の第１の態様の第１の可能な実現方式では、前記判定モジュールが、エアインタフェース容量密度が調整される必要があるターゲット物理セルが前記論理セルに存在するか判定する具体的な方式は、
エアインタフェース容量密度が減少される必要があるターゲット物理セルが前記論理セルに存在するか判定するか、又は、
エアインタフェース容量密度が増加される必要があるターゲット物理セルが前記論理セルに存在するか判定することである。
【０００８】
本発明の実施例の第１の態様の第１の可能な実現方式を参照して、本発明の実施例の第１の態様の第２の可能な実現方式では、前記判定モジュールが、エアインタフェース容量密度が増加される必要があるターゲット物理セルが前記論理セルに存在すると判定するとき、前記調整モジュールが前記ターゲット物理セルのエアインタフェース容量密度を調整する具体的な方式は、
前記ターゲット物理セルにおけるｐＲＲＵの数を減少させることである。
【０００９】
本発明の実施例の第１の態様の第１の可能な実現方式を参照して、本発明の実施例の第１の態様の第３の可能な実現方式では、前記判定モジュールが、エアインタフェース容量密度が増加される必要があるターゲット物理セルが前記論理セルに存在すると判定するとき、前記調整モジュールが前記ターゲット物理セルのエアインタフェース容量密度を調整する具体的な方式は、
前記ターゲット物理セルを少なくとも２つの物理セルに分割し、
分割によって取得された前記少なくとも２つの物理セルの各物理セルについて対応するベースバンド支流を別々に設定することである。
【００１０】
本発明の実施例の第１の態様の第１の可能な実現方式を参照して、本発明の実施例の第１の態様の第４の可能な実現方式では、前記判定モジュールが、エアインタフェース容量密度が減少される必要があるターゲット物理セルが前記論理セルに存在すると判定するとき、前記調整モジュールが前記ターゲット物理セルのエアインタフェース容量密度を調整する具体的な方式は、
前記ターゲット物理セルにおけるｐＲＲＵの数を増加させることである。
【００１１】
本発明の実施例の第１の態様の第１の可能な実現方式を参照して、本発明の実施例の第１の態様の第５の可能な実現方式では、前記判定モジュールが、エアインタフェース容量密度が減少される必要があるターゲット物理セルが前記論理セルに存在すると判定するとき、前記調整モジュールが前記ターゲット物理セルのエアインタフェース容量密度を調整する具体的な方式は、
前記ターゲット物理セルに隣接し、エアインタフェース容量密度が減少される必要がある物理セルを前記ターゲット物理セルに合成することである。
【００１２】
本発明の実施例の第１の態様の第４の可能な実現方式を参照して、本発明の実施例の第１の態様の第６の可能な実現方式では、前記ターゲット物理セルに追加されるｐＲＲＵは、前記ターゲット物理セルに隣接し、エアインタフェース容量密度が増加される必要がある物理セルから削除されるｐＲＲＵである。
【００１３】
本発明の実施例の第１の態様の第２の可能な実現方式を参照して、本発明の実施例の第１の態様の第７の可能な実現方式では、前記ターゲット物理セルから削除されるｐＲＲＵは、前記ターゲット物理セルに隣接し、エアインタフェース容量密度が減少される必要がある物理セルに合成されるのに利用される。
【００１４】
本発明の実施例の第２の態様は、エアインタフェース容量密度を調整する他の装置であって、メモリ及びプロセッサを有し、前記メモリはプログラムコードのグループを記憶し、前記プロセッサは、以下の処理、
エアインタフェース容量密度が調整される必要があるターゲット物理セルが論理セルに存在するか判定する処理であって、前記論理セルは１つ以上の物理セルを含み、各物理セルはピコ無線リモートユニットｐＲＲＵのグループを含み、１つの物理セルは１つのベースバンド支流に対応する、判定する処理と、
エアインタフェース容量密度が調整される必要があるターゲット物理セルが存在する場合、前記ターゲット物理セルのエアインタフェース容量密度を調整する処理と、
を実行するため、前記メモリに記憶される前記プログラムコードを呼び出すよう構成される装置を開示する。
【００１５】
本発明の実施例の第２の態様の第１の可能な実現方式では、前記プロセッサが、エアインタフェース容量密度が調整される必要があるターゲット物理セルが前記論理セルに存在するか判定する具体的な方式は、
エアインタフェース容量密度が減少される必要があるターゲット物理セルが前記論理セルに存在するか判定するか、又は、
エアインタフェース容量密度が増加される必要があるターゲット物理セルが前記論理セルに存在するか判定することである。
【００１６】
本発明の実施例の第２の態様の第１の可能な実現方式を参照して、本発明の実施例の第２の態様の第２の可能な実現方式では、前記プロセッサが、エアインタフェース容量密度が増加される必要があるターゲット物理セルが前記論理セルに存在すると判定するとき、前記プロセッサが前記ターゲット物理セルのエアインタフェース容量密度を調整する具体的な方式は、
前記ターゲット物理セルにおけるｐＲＲＵの数を減少させることである。
【００１７】
本発明の実施例の第２の態様の第１の可能な実現方式を参照して、本発明の実施例の第２の態様の第３の可能な実現方式では、前記プロセッサが、エアインタフェース容量密度が増加される必要があるターゲット物理セルが前記論理セルに存在すると判定するとき、前記プロセッサが前記ターゲット物理セルのエアインタフェース容量密度を調整する具体的な方式は、
前記ターゲット物理セルを少なくとも２つの物理セルに分割し、
分割によって取得された前記少なくとも２つの物理セルの各物理セルについて対応するベースバンド支流を別々に設定することである。
【００１８】
本発明の実施例の第２の態様の第１の可能な実現方式を参照して、本発明の実施例の第２の態様の第４の可能な実現方式では、前記プロセッサが、エアインタフェース容量密度が減少される必要があるターゲット物理セルが前記論理セルに存在すると判定するとき、前記プロセッサが前記ターゲット物理セルのエアインタフェース容量密度を調整する具体的な方式は、
前記ターゲット物理セルにおけるｐＲＲＵの数を増加させることである。
【００１９】
本発明の実施例の第２の態様の第１の可能な実現方式を参照して、本発明の実施例の第２の態様の第５の可能な実現方式では、前記プロセッサが、エアインタフェース容量密度が減少される必要があるターゲット物理セルが前記論理セルに存在すると判定するとき、前記プロセッサが前記ターゲット物理セルのエアインタフェース容量密度を調整する具体的な方式は、
前記ターゲット物理セルに隣接し、エアインタフェース容量密度が減少される必要がある物理セルを前記ターゲット物理セルに合成することである。
【００２０】
本発明の実施例の第２の態様の第４の可能な実現方式を参照して、本発明の実施例の第２の態様の第６の可能な実現方式では、前記ターゲット物理セルに追加されるｐＲＲＵは、前記ターゲット物理セルに隣接し、エアインタフェース容量密度が増加される必要がある物理セルから削除されるｐＲＲＵである。
【００２１】
本発明の実施例の第２の態様の第２の可能な実現方式を参照して、本発明の実施例の第２の態様の第７の可能な実現方式では、前記ターゲット物理セルから削除されるｐＲＲＵは、前記ターゲット物理セルに隣接し、エアインタフェース容量密度が減少される必要がある物理セルに合成されるのに利用される。
【００２２】
本発明の実施例の第３の態様は、エアインタフェース容量密度を調整する方法であって、
エアインタフェース容量密度が調整される必要があるターゲット物理セルが論理セルに存在するか判定するステップであって、前記論理セルは１つ以上の物理セルを含み、各物理セルはピコ無線リモートユニットｐＲＲＵのグループを含み、１つの物理セルは１つのベースバンド支流に対応する、判定するステップと、
エアインタフェース容量密度が調整される必要があるターゲット物理セルが存在する場合、前記ターゲット物理セルのエアインタフェース容量密度を調整するステップと、
を有する方法を開示する。
【００２３】
本発明の実施例の第３の態様の第１の可能な実現方式では、エアインタフェース容量密度が調整される必要があるターゲット物理セルが前記論理セルに存在するか判定するステップは、
エアインタフェース容量密度が減少される必要があるターゲット物理セルが前記論理セルに存在するか判定するか、又は、
エアインタフェース容量密度が増加される必要があるターゲット物理セルが前記論理セルに存在するか判定するステップを含む。
【００２４】
本発明の実施例の第３の態様の第１の可能な実現方式を参照して、本発明の実施例の第３の態様の第２の可能な実現方式では、エアインタフェース容量密度が増加される必要があるターゲット物理セルが存在する場合、前記ターゲット物理セルのエアインタフェース容量密度を調整するステップは、
前記ターゲット物理セルにおけるｐＲＲＵの数を減少させるステップを含む。
【００２５】
本発明の実施例の第３の態様の第１の可能な実現方式を参照して、本発明の実施例の第３の態様の第３の可能な実現方式では、エアインタフェース容量密度が増加される必要があるターゲット物理セルが存在する場合、前記ターゲット物理セルのエアインタフェース容量密度を調整するステップは、
前記ターゲット物理セルを少なくとも２つの物理セルに分割するステップと、
分割によって取得された前記少なくとも２つの物理セルの各物理セルについて対応するベースバンド支流を別々に設定するステップと、
を含む。
【００２６】
本発明の実施例の第３の態様の第１の可能な実現方式を参照して、本発明の実施例の第３の態様の第４の可能な実現方式では、エアインタフェース容量密度が減少される必要があるターゲット物理セルが存在する場合、前記ターゲット物理セルのエアインタフェース容量密度を調整するステップは、
前記ターゲット物理セルにおけるｐＲＲＵの数を増加させるステップを含む。
【００２７】
本発明の実施例の第３の態様の第１の可能な実現方式を参照して、本発明の実施例の第３の態様の第５の可能な実現方式では、エアインタフェース容量密度が減少される必要があるターゲット物理セルが存在する場合、前記ターゲット物理セルのエアインタフェース容量密度を調整するステップは、
前記ターゲット物理セルに隣接し、エアインタフェース容量密度が減少される必要がある物理セルを前記ターゲット物理セルに合成するステップを含む。
【００２８】
本発明の実施例の第３の態様の第４の可能な実現方式を参照して、本発明の実施例の第３の態様の第６の可能な実現方式では、前記ターゲット物理セルに追加されるｐＲＲＵは、前記ターゲット物理セルに隣接し、エアインタフェース容量密度が増加される必要がある物理セルから削除されるｐＲＲＵである。
【００２９】
本発明の実施例の第３の態様の第２の可能な実現方式を参照して、本発明の実施例の第３の態様の第７の可能な実現方式では、前記ターゲット物理セルから削除されるｐＲＲＵは、前記ターゲット物理セルに隣接し、エアインタフェース容量密度が減少される必要がある物理セルに合成されるのに利用される。
【００３０】
本発明の実施例では、エアインタフェース容量密度を調整する装置はまず、エアインタフェース容量密度が調整される必要があるターゲット物理セルが論理セルに存在するか判定し、ここで、論理セルは１つ以上の物理セルを含み、各物理セルはピコ無線リモートユニットｐＲＲＵのグループを含み、１つの物理セルは１つのベースバンド支流に対応し、判定結果が、エアインタフェース容量密度が調整される必要があるターゲット物理セルが論理セルに存在することであるとき、エアインタフェース容量密度を調整する装置は、ターゲット物理セルのエアインタフェース容量密度を調整する。従って、本発明の実施例を実現することによって、論理セルにおける物理セルのエアインタフェース容量密度は、物理セルの実際の状況に従って動的に調整可能であり、論理セルにおけるエアインタフェース容量の利用を向上させ、論理セルは分割又は合成される必要はなく、新たなセルライセンスリソースが論理セルに割り当てられる必要はなく、セルライセンスリソースの浪費を減少させ、論理セルにおけるＵＥは、新たな論理セルにハンドオーバされる必要はなく、ＵＥのサービスの中断の回数を減少させる。
【図面の簡単な説明】
【００３１】
本発明の実施例における技術的解決策をより明確に説明するため、以下は実施例を説明するのに必要とされる添付図面を簡単に紹介する。明らかに、以下の説明における添付図面は、本発明の単なるいくつかの実施例を示し、当業者は、創作的な努力なくこれらの添付図面から他の図面を依然として導出しうる。
【図１】図１は、本発明の実施例において開示されるネットワークアーキテクチャの概略的な構成図である。
【図２】図２は、本発明の実施例において開示されるエアインタフェース容量密度を調整する装置の概略的な構成図である。
【図３】図３は、本発明の実施例における開示されるエアインタフェース容量密度を調整する他の装置の概略的な構成図である。
【図４】図４は、本発明の実施例において開示されるエアインタフェース容量密度を調整する方法の概略的なフローチャートである。
【図５】図５は、本発明の実施例において開示される物理セルのエアインタフェース容量密度を増加させる処理の概略的な構成図である。
【図６】図６は、本発明の実施例において開示される物理セルのエアインタフェース容量密度を増加させる処理の他の概略的な構成図である。
【図７】図７は、本発明の実施例において開示される物理セルのエアインタフェース容量密度を減少させる処理の概略的な構成図である。
【発明を実施するための形態】
【００３２】
以下は、本発明の実施例における添付図面を参照して、本発明の実施例における技術的解決策を明確且つ完全に説明する。明らかに、説明される実施例は、本発明の実施例の全てではなく単なる一部である。創作的努力なく本発明の実施例に基づき当業者によって得られる他の全ての実施例は、本発明の保護範囲内に属する。
【００３３】
本発明の実施例は、論理セルにおけるエアインタフェース容量の利用を向上させる、物理セルの実際の状況に従って論理セルにおける物理セルのエアインタフェース容量密度を動的に調整することができる、エアインタフェース容量密度を調整する方法及び装置を開示し、論理セルは分割又は合成される必要はなく、新しいセルライセンスリソースが論理セルに割り当てられる必要はなく、セルライセンスリソースの浪費を減少させ、論理セルにおけるＵＥは、新たな論理セルにハンドオーバされる必要はなく、ＵＥのためのサービスの中断の回数を減少させる。詳細は以下に別途示される。
【００３４】
本発明の実施例に開示されたエアインタフェース容量密度を調整する方法及び装置をより良く理解するため、以下はまず、本発明の実施例において使用されるネットワークアーキテクチャを説明する。図１を参照すると、図１は、本発明の実施例において開示されるネットワークアーキテクチャの概略的な構成図である。図１に示されるように、ネットワークアーキテクチャは大きな屋内カバレッジを含み、大きな屋内カバレッジは複数の論理セルに分割される。各論理セルは、グローバルに統一されたセル識別子（ＣＩ，Ｃｅｌｌ  Ｉｄｅｎｔｉｔｙ）とセル関連属性（周波数チャネル数、帯域幅、物理セル識別子及び送信電力など）とを有し、固定的なエアインタフェース容量が各論理セルのために配備される。各論理セルのカバレッジエリアは、単一指向性アンテナのカバレッジエリアであってもよいし、あるいは、多指向性アンテナのカバレッジエリアであってもよく、合成された無線周波数信号が各論理セルのカバレッジエリアにおけるアンテナポイント間で送信され、すなわち、論理セルはまた、単一周波数ネットワーク（ＳＦＮ，Ｓｉｎｇｌｅ  Ｆｒｅｑｕｅｎｃｙ  Ｎｅｔｗｏｒｋ）セルとして参照されてもよい。また、各論理セルはさらに１つ以上の物理セルに分割されてもよく、論理セルにおける物理セルは、対応する論理セルにおけるエアインタフェース容量を再利用してもよい。物理セルのエアインタフェース容量密度は、物理セルのカバレッジエリアが増加するに従って減少し、物理セルのエアインタフェース容量密度は、物理セルのカバレッジエリアが減少するに従って増加する。各物理セルは、ピコ無線遠隔ユニットｐＲＲＵのグループから構成され、１つの物理セルは１つのベースバンド支流に対応する。物理セルにおけるベースバンド支流は、物理セルにおけるエアインタフェース信号のベースバンド変調及び復調に使用される。
【００３５】
図１に示されるネットワークアーキテクチャに基づき、本発明の実施例はエアインタフェース容量密度を調整する装置を開示する。図２を参照して、図２は、本発明の実施例に開示されるエアインタフェース容量密度を調整する装置の概略的な構成図である。図２に示される装置は基地局に適用される。図２に示されるように、エアインタフェース容量密度を調整する装置２００は、判定モジュール２０１及び調整モジュール２０２を有してもよい。
【００３６】
判定モジュール２０１は、エアインタフェース容量密度が調整される必要があるターゲット物理セルが論理セルに存在するか判定するよう構成される。
【００３７】
本発明の本実施例では、１つの論理セルは１つ以上の物理セルに分割され、各物理セルはピコ無線リモートユニットｐＲＲＵのグループから構成され、１つの物理セルは１つのベースバンド支流に対応し、ここで、ベースバンド支流は、物理セルにおけるエアインタフェース信号のベースバンド変調及び復調に利用される。
【００３８】
本発明の本実施例では、エアインタフェース容量密度は、物理セルにおける単位エリア毎のエアインタフェース容量である。
【００３９】
任意的な実現方式として、判定モジュール２０１が、エアインタフェース容量密度が調整される必要があるターゲット物理セルが論理セルに存在するか判定する具体的な方式は、エアインタフェース容量密度が減少される必要があるターゲット物理セルが論理セルに存在するか判定することであってもよい。
【００４０】
本発明の本実施例では、判定モジュール２０１は、ユーザ体感満足率、人口分布、トラフィック密度及び各物理セルの負荷量の１つ以上に従って、エアインタフェース容量密度が減少される必要があるターゲット物理セルが論理セルに存在するか判定してもよく、本発明の本実施例はこれに対して限定を設定しない。例えば、判定モジュール２０１が、物理セルのユーザ体感満足率が所定のユーザ体感満足率の閾値（例えば、３０％）より小さいと判定すると、判定モジュール２０１はそのとき、当該物理セルをエアインタフェース容量密度が増加される必要があるターゲット物理セルとして特定する。判定モジュール２０１が、物理セルのユーザ体感満足率が所定のユーザ体感満足率の閾値（例えば、９０％）より大きいと判定すると、判定モジュール２０１はそのとき、当該物理セルをエアインタフェース容量密度が減少される必要があるターゲット物理セルとして特定する。
【００４１】
他の任意的な実現方式として、判定モジュール２０１が、エアインタフェース容量密度が調整される必要があるターゲット物理セルが論理セルに存在するか判定する具体的な方式は、エアインタフェース容量密度が増加される必要があるターゲット物理セルが論理セルに存在するか判定することであってもよい。
【００４２】
本発明の本実施例では、例えば、物理セルにおける人口密度及びトラフィック密度が相対的に低いとき、エアインタフェース容量密度を調整する装置２００は、調整モジュール２０２を利用することによって、物理セルにおけるエアインタフェース容量密度を減少させてもよい。物理セルにおける人口密度及びトラフィック密度が相対的に高いとき、エアインタフェース容量密度を調整する装置２００は、調整モジュール２０２を利用することによって、物理セルにおけるエアインタフェース容量密度を増加させてもよい。
【００４３】
調整モジュール２０２は、判定モジュール２０１の判定結果が、エアインタフェース容量密度が調整される必要があるターゲット物理セルが論理セルに存在することであるとき、上記のターゲット物理セルのエアインタフェース容量密度を調整するよう構成される。
【００４４】
任意的な実現方式として、判定モジュール２０１が、エアインタフェース容量密度が増加される必要があるターゲット物理セルが論理セルに存在すると判定するとき、調整モジュール２０２がターゲット物理セルのエアインタフェース容量密度を調整する具体的な方式は、ターゲット物理セルのエアインタフェース容量密度を増加させるため、ターゲット物理セルにおけるｐＲＲＵの数を減少させることであってもよい。
【００４５】
本発明の本実施例では、ターゲット物理セルから削除されるｐＲＲＵは、ターゲット物理セルに隣接し、エアインタフェース容量密度が減少される必要がある物理セルに合成されるのに利用される。
【００４６】
本発明の本実施例では、エアインタフェース容量密度が調整される必要がない場合、ダウンリンク信号を送信する際、調整モジュール２０２は、送信用の物理セルを構成するｐＲＲＵに各物理セルに対応するダウンリンク信号を割り当てる。ターゲット物理セルのエアインタフェース容量密度が増加される必要があるとき、ダウンリンク信号を送信する際、調整モジュール２０２は、送信用のターゲット物理セルを構成するｐＲＲＵのいくつかにターゲット物理セルに対応するダウンリンク信号を割り当て、ターゲット物理セルにおけるｐＲＲＵの数を減少させるため、ターゲット物理セルに隣接し、エアインタフェース容量密度が減少される必要がある近傍の物理セルに対応するダウンリンク信号を、近傍の物理セルを構成するｐＲＲＵと送信用のターゲット物理セルにおける残りのｐＲＲＵとに割り当てる。
【００４７】
本発明の本実施例では、物理セルはｐＲＲＵのグループから構成されるため、ｐＲＲＵの数は、物理セルの実際のカバレッジエリアを決定する。ｐＲＲＵの数が大きいとき、物理セルの実際のカバレッジエリアは相対的に大きい。ｐＲＲＵの数が小さいとき、物理セルの実際のカバレッジエリアは相対的に小さい。ターゲット物理セルにおけるｐＲＲＵの数が減少されるとき、ターゲット物理セルの実際のカバレッジエリアは減少され、これにより、ターゲット物理セルのエアインタフェース容量密度が増加され、ターゲット物理セルから削除されるｐＲＲＵは、エアインタフェース容量密度が減少される必要がある物理セルに合成されてもよい。
【００４８】
本発明の本実施例では、ターゲット物理セルから削除されるｐＲＲＵの数は、可変的であり、ターゲット物理セルにおける人口密度及びトラフィック密度によって決定される。
【００４９】
本発明の本実施例では、例えば、論理セルが３個の物理セル、すなわち、物理セルＡ、物理セルＢ及び物理セルＣに分割され、各物理セルが６個のｐＲＲＵから構成されると仮定される。調整モジュール２０２が物理セルＡのエアインタフェース容量密度を増加させる必要があり、物理セルＢにおける人口密度及びトラフィック密度は大変低いとき、調整モジュール２０２がターゲット物理セルのエアインタフェース容量密度を調整する処理を示す概略的な構成図が、図５において示されてもよい。図５は、本発明の実施例に開示される物理セルのエアインタフェース容量密度を増加させる処理の概略的な構成図である。図５に示されるように、調整モジュール２０２は、物理セルＡにあるｐＲＲＵ４，ｐＲＲＵ５及びｐＲＲＵ６を物理セルＢに合成する。物理セルＡにおけるｐＲＲＵの数は減少し、物理セルＡの実際のカバレッジエリアは減少し、これにより、物理セルＡのエアインタフェース容量密度が増加する。すなわち、調整モジュール２０２が物理セルＡにおけるｐＲＲＵの数を減少させる処理は、物理セルＡに対応するダウンリンク信号を送信用の元の物理セルＡにおけるｐＲＲＵ１〜ｐＲＲＵ３に割当て、物理セルＢに対応するダウンリンク信号を、元の物理セルＢにおけるｐＲＲＵ１〜ｐＲＲＵ６と送信用の元の物理セルＡにおけるｐＲＲＵ４〜ｐＲＲＵ６とに割り当てるとして説明されてもよい。
【００５０】
他の任意的な実現方式として、判定モジュール２０１が、エアインタフェース容量密度が増加される必要があるターゲット物理セルが論理セルに存在すると判定するとき、調整モジュール２０２がターゲット物理セルのエアインタフェース容量密度を調整する具体的な方式は、少なくとも２つの物理セルの各物理セルのエアインタフェース容量密度を増加させるため、ターゲット物理セルを少なくとも２つの物理セルに分割し、分割によって取得された少なくとも２つの物理セルの各物理セルについて対応するベースバンド支流を別々に設定することであってもよい。
【００５１】
本発明の本実施例では、分割によって取得される少なくとも２つの物理セルの各物理セルについて別々に設定されたベースバンド支流は、ターゲット物理セルのベースバンド支流と、論理セルにおける１つ以上の物理セルが合成された後にアイドルであるベースバンド支流とであってもよく、エアインタフェース容量密度を調整する装置２００によって再割り当てされるベースバンド支流であってもよいし、あるいは、さらにその組み合わせであってもよく、本発明の本実施例では限定されない。
【００５２】
本発明の本実施例では、調整モジュール２０２は、ターゲット物理セルを少なくとも２つの物理セルに分割し、これにより、ターゲット物理セルを分割することによって取得された各物理セルの実際のカバレッジエリアは減少し、ターゲット物理セルを分割することによって取得された各物理セルのエアインタフェース容量密度は増加する。
【００５３】
本発明の本実施例では、ターゲット物理セルを分割することによって取得された物理セルの数は、可変的であり、ターゲット物理セルにおける人口密度及びトラフィック密度によって決定される。
【００５４】
本発明の本実施例では、例えば、論理セルが３個の物理セル、すなわち、物理セルＡ、物理セルＢ及び物理セルＣに分割され、各物理セルが６個のｐＲＲＵから構成されると仮定される。調整モジュール２０２が物理セルＡのエアインタフェース容量密度を増加させる必要があるとき、調整モジュール２０２がターゲット物理セルのエアインタフェース容量密度を調整する処理を示す概略的な構成図が、図６において示されてもよい。図６は、本発明の実施例に開示される物理セルのエアインタフェース容量密度を増加させる処理の他の概略的な構成図である。図６に示されるように、調整モジュール２０２は、物理セルＡを２つの物理セル、すなわち、物理セルＡ１及び物理セルＡ２に分割する。物理セルＡ１は、物理セルＡにあるｐＲＲＵ１，ｐＲＲＵ２及びｐＲＲＵ３から構成され、物理セルＡ２は、物理セルＡにあるｐＲＲＵ４，ｐＲＲＵ５及びｐＲＲＵ６から構成される。すなわち、調整モジュール２０２が物理セルＡを２つの物理セル（物理セルＡ１及び物理セルＡ２）に分割する処理は、元の物理セルＡに対応するダウンリンク信号を送信用の元の物理セルＡにおけるｐＲＲＵ１〜ｐＲＲＵ３に割当てるか、又は元の物理セルＡに対応するダウンリンク信号を送信用の元の物理セルＡにおけるｐＲＲＵ〜ｐＲＲＵ６に割当て、すなわち、元の物理セルＡにおけるｐＲＲＵ１〜ｐＲＲＵ３によって送信されるダウンリンク信号と元の物理セルＡにおけるｐＲＲＵ４〜ｐＲＲＵ６によって送信されるダウンリンク信号とを分離し、元の物理セルＡの分割を実現するとして説明されてもよい。
【００５５】
任意的な実現方式として、判定モジュール２０１が、エアインタフェース容量密度が減少される必要があるターゲット物理セルが論理セルに存在すると判定するとき、調整モジュール２０２がターゲット物理セルのエアインタフェース容量密度を調整する具体的な方式は、ターゲット物理セルのエアインタフェース容量密度を減少させるため、ターゲット物理セルにおけるｐＲＲＵの数を増加させることであってもよい。
【００５６】
本発明の本実施例では、ターゲット物理セルに追加されるｐＲＲＵの数は、可変的であり、ターゲット物理セルにおける人口密度及びトラフィック密度によって決定される。
【００５７】
本発明の本実施例では、エアインタフェース容量密度が減少される必要があるターゲット物理セルは、ターゲット物理セルにおけるｐＲＲＵの数を増加させるため、ターゲット物理セルに隣接し、エアインタフェース容量密度が増加される必要がある物理セルから削除されるｐＲＲＵをターゲット物理セルに合成してもよい。例えば、図５に示されるように、物理セルＢは、物理セルＢのｐＲＲＵの数を増加させるため、物理セルＡから削除されるｐＲＲＵを物理セルＢに合成し、これにより、物理セルＢのエアインタフェース容量密度が減少する。
【００５８】
他の任意的な実現方式として、判定モジュール２０１が、エアインタフェース容量密度が減少される必要があるターゲット物理セルが論理セルに存在すると判定するとき、調整モジュール２０２がターゲット物理セルのエアインタフェース容量密度を調整する具体的な方式は、ターゲット物理セルのエアインタフェース容量密度を減少させるため、ターゲット物理セルに隣接し、エアインタフェース容量密度が減少される必要がある物理セルをターゲット物理セルに合成することであってもよい。
【００５９】
本発明の本実施例では、論理セルでは、２つの物理セルが合成された後、アイドルのベースバンド支流が利用可能であり、物理セルが合成された後のアイドルのベースバンド支流は、物理セルを分割することによって取得される物理セルのベースバンド支流として設定されるのに利用されてもよい。
【００６０】
本発明の本実施例では、例えば、論理セルが３個の物理セル、すなわち、物理セルＡ、物理セルＢ及び物理セルＣに分割され、各物理セルが６個のｐＲＲＵから構成されると仮定される。調整モジュール２０２が物理セルＡのエアインタフェース容量密度を減少させる必要があり、物理セルＢが、エアインタフェース容量密度が減少される必要がある物理セルであるとき、調整モジュール２０２がターゲット物理セルのエアインタフェース容量密度を調整する処理を示す概略的な構成図が、図７において示されてもよい。図７は、本発明の実施例に開示される物理セルのエアインタフェース容量密度を減少させる処理の概略的な構成図である。図７に示されるように、調整モジュール２０２は、物理セルＢを物理セルＡに合成し、これにより、物理セルＡにおけるｐＲＲＵの数が増加し、物理セルＡのエアインタフェース容量密度が減少する。すなわち、調整モジュール２０２が物理セルＢを物理セルＡに合成する処理は、元の物理セルＡに対応するダウンリンク信号を元の物理セルＡにおけるｐＲＲＵ１〜ｐＲＲＵ６と送信用の元の物理セルＢにおけるｐＲＲＵ１〜ｐＲＲＵ６とに割り当てるとして説明されてもよい。
【００６１】
本発明の本実施例を実現することによって、論理セルにおける物理セルのエアインタフェース容量密度は、物理セルの実際の状況に従って動的に調整可能であり、論理セルにおけるエアインタフェース容量の利用を向上させ、論理セルは分割又は合成される必要はなく、新たなセルライセンスリソースが論理セルに割り当てられる必要はなく、セルライセンスリソースの浪費を減少させ、論理セルにおけるＵＥは、新たな論理セルにハンドオーバされる必要はなく、ＵＥのためのサービスの中断の回数を減少させる。
【００６２】
図１に示されるネットワークアーキテクチャに基づき、本発明の実施例は、エアインタフェース容量密度を調整する他の装置を開示する。図３を参照して、図３は、本発明の実施例に開示されるエアインタフェース容量密度を調整する他の装置の概略的な構成図である。図３に示される装置は基地局に適用される。図３に示されるように、エアインタフェース容量密度を調整する装置３００は、メモリ３０１及びプロセッサ３０２を有し、ここで、メモリ３０１はプログラムコードのグループを記憶し、プロセッサ３０２は、以下の処理、
エアインタフェース容量密度が調整される必要があるターゲット物理セルが論理セルに存在するか判定する処理であって、論理セルは１つ以上の物理セルを含み、各物理セルはピコ無線リモートユニットｐＲＲＵのグループを含み、１つの物理セルは１つのベースバンド支流に対応する、判定する処理と、
エアインタフェース容量密度が調整される必要があるターゲット物理セルが存在する場合、ターゲット物理セルのエアインタフェース容量密度を調整する処理と、
を実行するため、メモリ３０１に記憶されるプログラムコードを呼び出すよう構成される。
【００６３】
本発明の本実施例では、エアインタフェース容量密度は、物理セルにおける単位エリア毎のエアインタフェース容量である。
【００６４】
実施例では、プロセッサ３０２が、エアインタフェース容量密度が調整される必要があるターゲット物理セルが論理セルに存在するか判定する具体的な方式は、
エアインタフェース容量密度が減少される必要があるターゲット物理セルが論理セルに存在するか判定するか、又は、
エアインタフェース容量密度が増加される必要があるターゲット物理セルが論理セルに存在するか判定することであってもよい。
【００６５】
実施例では、プロセッサ３０２が、エアインタフェース容量密度が増加される必要があるターゲット物理セルが論理セルに存在すると判定するとき、プロセッサ３０２がターゲット物理セルのエアインタフェース容量密度を調整する具体的な方式は、ターゲット物理セルのエアインタフェース容量密度を増加させるため、ターゲット物理セルにおけるｐＲＲＵの数を減少させることであってもよい。
【００６６】
本発明の本実施例では、ターゲット物理セルから削除されるｐＲＲＵの数は、可変的であり、ターゲット物理セルにおける人口密度及びトラフィック密度によって決定され、ターゲット物理セルから削除されるｐＲＲＵは、ターゲット物理セルに隣接し、エアインタフェース容量密度が減少される必要がある物理セルに合成されるのに利用される。
【００６７】
実施例では、プロセッサ３０２が、エアインタフェース容量密度が増加される必要があるターゲット物理セルが論理セルに存在すると判定するとき、プロセッサ３０２がターゲット物理セルのエアインタフェース容量密度を調整する具体的な方式は、
少なくとも２つの物理セルの各物理セルのエアインタフェース容量密度を増加させるため、ターゲット物理セルを少なくとも２つの物理セルに分割し、
分割によって取得された少なくとも２つの物理セルの各物理セルについて対応するベースバンド支流を別々に設定することであってもよい。
【００６８】
本発明の本実施例では、ターゲット物理セルを分割することによって取得される物理セルの数は、可変的であり、ターゲット物理セルにおける人口密度及びトラフィック密度によって決定される。
【００６９】
実施例では、プロセッサ３０２が、エアインタフェース容量密度が減少される必要があるターゲット物理セルが論理セルに存在すると判定するとき、プロセッサ３０２がターゲット物理セルのエアインタフェース容量密度を調整する具体的な方式は、ターゲット物理セルのエアインタフェース容量密度を減少させるため、ターゲット物理セルにおけるｐＲＲＵの数を増加させることであってもよい。
【００７０】
本発明の本実施例では、ターゲット物理セルに追加されるｐＲＲＵの数は、可変的であり、ターゲット物理セルにおける人口密度及びトラフィック密度によって決定され、エアインタフェース容量密度が減少される必要があるターゲット物理セルは、ターゲット物理セルにおけるｐＲＲＵの数を増加させるため、ターゲット物理セルに隣接し、エアインタフェース容量密度が増加される必要がある物理セルから削除されるｐＲＲＵをターゲット物理セルに合成してもよい。
【００７１】
実施例では、プロセッサ３０２が、エアインタフェース容量密度が減少される必要があるターゲット物理セルが論理セルに存在すると判定するとき、プロセッサ３０２がターゲット物理セルのエアインタフェース容量密度を調整する具体的な方式は、ターゲット物理セルのエアインタフェース容量密度を減少させるため、ターゲット物理セルに隣接し、エアインタフェース容量密度が減少される必要がある物理セルをターゲット物理セルに合成することであってもよい。
【００７２】
本発明の本実施例では、論理セルでは、２つの物理セルが合成された後、アイドルのベースバンド支流が利用可能であり、物理セルが合成された後のアイドルのベースバンド支流は、物理セルを分割することによって取得される物理セルのベースバンド支流として設定されるのに利用されてもよい。
【００７３】
本発明の本実施例を実現することによって、論理セルにおける物理セルのエアインタフェース容量密度は、物理セルの実際の状況に従って動的に調整可能であり、論理セルにおけるエアインタフェース容量の利用を向上させ、論理セルは分割又は合成される必要はなく、新たなセルライセンスリソースが論理セルに割り当てられる必要はなく、セルライセンスリソースの浪費を減少させ、論理セルにおけるＵＥは、新たな論理セルにハンドオーバされる必要はなく、ＵＥのためのサービスの中断の回数を減少させる。
【００７４】
図１に示されるネットワークアーキテクチャに基づき、本発明の実施例は、エアインタフェース容量密度を調整する方法を開示する。図４を参照して、図４は、本発明の実施例に開示されるエアインタフェース容量密度を調整する方法の概略的なフローチャートである。図４に示される方法は基地局に適用される。図４に示されるように、エアインタフェース容量密度を調整する方法は、以下のステップを含むものであってもよい。
【００７５】
Ｓ４０１．エアインタフェース容量密度が調整される必要があるターゲット物理セルが論理セルに存在するか判定する。
【００７６】
本発明の本実施例では、１つの論理セルは１つ以上の物理セルに分割され、各物理セルはピコ無線リモートユニットｐＲＲＵのグループから構成され、１つの物理セルは１つのベースバンド支流に対応し、ここで、ベースバンド支流は、物理セルにおけるエアインタフェース信号のベースバンド変調及び復調に利用される。
【００７７】
本発明の本実施例では、エアインタフェース容量密度は、物理セルにおける単位エリア毎のエアインタフェース容量である。
【００７８】
任意的な実現方式として、エアインタフェース容量密度が調整される必要があるターゲット物理セルが論理セルに存在するか判定することは、エアインタフェース容量密度が減少される必要があるターゲット物理セルが論理セルに存在するか判定することを含むものであってもよい。
【００７９】
本発明の本実施例では、エアインタフェース容量密度を調整する装置は、ユーザ体感満足率、人口分布、トラフィック密度及び各物理セルの負荷量の１つ以上に従って、エアインタフェース容量密度が減少される必要があるターゲット物理セルが論理セルに存在するか判定してもよく、本発明の本実施例はこれに対して限定を設定しない。例えば、エアインタフェース容量密度を調整する装置が、物理セルのユーザ体感満足率が所定のユーザ体感満足率の閾値（例えば、３０％）より小さいと判定すると、エアインタフェース容量密度を調整する装置はそのとき、当該物理セルをエアインタフェース容量密度が増加される必要があるターゲット物理セルとして特定する。エアインタフェース容量密度を調整する装置が、物理セルのユーザ体感満足率が所定のユーザ体感満足率の閾値（例えば、９０％）より大きいと判定すると、エアインタフェース容量密度を調整する装置はそのとき、当該物理セルをエアインタフェース容量密度が減少される必要があるターゲット物理セルとして特定する。
【００８０】
他の任意的な実現方式として、エアインタフェース容量密度が調整される必要があるターゲット物理セルが論理セルに存在するか判定することは、エアインタフェース容量密度が増加される必要があるターゲット物理セルが論理セルに存在するか判定するステップを含むものであってもよい。
【００８１】
本発明の本実施例では、例えば、物理セルにおける人口密度及びトラフィック密度が相対的に低いとき、エアインタフェース容量密度を調整する装置は、物理セルにおけるエアインタフェース容量密度を減少させてもよい。物理セルにおける人口密度及びトラフィック密度が相対的に高いとき、エアインタフェース容量密度を調整する装置は、物理セルにおけるエアインタフェース容量密度を増加させてもよい。
【００８２】
本発明の本実施例では、ステップＳ４０１における判定結果が、エアインタフェース容量密度が調整される必要があるターゲット物理セルが論理セルに存在することであるとき、エアインタフェース容量密度を調整する装置はステップＳ４０２を実行する。ステップＳ４０１における判定結果が、エアインタフェース容量密度が調整される必要があるターゲット物理セルが論理セルに存在しないことであるとき、エアインタフェース容量密度を調整する装置は現在の手順を終了してもよい。
【００８３】
Ｓ４０２．ターゲット物理セルのエアインタフェース容量密度を調整する。
【００８４】
任意的な実現方式として、エアインタフェース容量密度が増加される必要があるターゲット物理セルが論理セルに存在する場合、ターゲット物理セルのエアインタフェース容量密度を調整するステップは、ターゲット物理セルのエアインタフェース容量密度を増加させるため、ターゲット物理セルにおけるｐＲＲＵの数を減少させるステップを含むものであってもよい。
【００８５】
本発明の本実施例では、ターゲット物理セルから削除されるｐＲＲＵは、ターゲット物理セルに隣接し、エアインタフェース容量密度が減少される必要がある物理セルに合成するのに利用される。
【００８６】
本発明の本実施例では、エアインタフェース容量密度が調整される必要がないケースでは、ダウンリンク信号を送信する際、エアインタフェース容量密度を調整する装置は、送信用の物理セルを構成するｐＲＲＵに各物理セルに対応するダウンリンク信号を割り当てる。ターゲット物理セルのエアインタフェース容量密度が増加される必要があるとき、ダウンリンク信号を送信する際、エアインタフェース容量密度を調整する装置は、送信用のターゲット物理セルを構成するｐＲＲＵのいくつかにターゲット物理セルに対応するダウンリンク信号を割り当て、ターゲット物理セルにおけるｐＲＲＵの数を減少させるため、ターゲット物理セルに隣接し、エアインタフェース容量密度が減少される必要がある近傍の物理セルに対応するダウンリンク信号を、近傍の物理セルを構成するｐＲＲＵと送信用のターゲット物理セルにおける残りのｐＲＲＵとに割り当てる。
【００８７】
本発明の本実施例では、物理セルはｐＲＲＵのグループから構成されるため、ｐＲＲＵの数は、物理セルの実際のカバレッジエリアを決定する。ｐＲＲＵの数が大きいとき、物理セルの実際のカバレッジエリアは相対的に大きい。ｐＲＲＵの数が相対的に小さいとき、物理セルの実際のカバレッジエリアは相対的に小さい。ターゲット物理セルにおけるｐＲＲＵの数が減少されるとき、ターゲット物理セルの実際のカバレッジエリアは減少され、これにより、ターゲット物理セルのエアインタフェース容量密度が増加され、ターゲット物理セルから削除されるｐＲＲＵは、エアインタフェース容量密度が減少される必要がある物理セルに合成されてもよい。
【００８８】
本発明の本実施例では、ターゲット物理セルから削除されるｐＲＲＵの数は、可変的であり、ターゲット物理セルにおける人口密度及びトラフィック密度によって決定される。
【００８９】
本発明の本実施例では、例えば、論理セルが３個の物理セル、すなわち、物理セルＡ、物理セルＢ及び物理セルＣに分割され、各物理セルが６個のｐＲＲＵから構成されると仮定される。エアインタフェース容量密度を調整する装置が物理セルＡのエアインタフェース容量密度を増加させる必要があり、物理セルＢにおける人口密度及びトラフィック密度は大変低いとき、エアインタフェース容量密度を調整する装置がターゲット物理セルのエアインタフェース容量密度を調整する処理を示す概略的な構成図が、図５において示されてもよい。図５は、本発明の実施例に開示される物理セルのエアインタフェース容量密度を増加させる処理の概略的な構成図である。図５に示されるように、エアインタフェース容量密度を調整する装置は、物理セルＡにあるｐＲＲＵ４，ｐＲＲＵ５及びｐＲＲＵ６を物理セルＢに合成する。物理セルＡにおけるｐＲＲＵの数は減少し、物理セルＡの実際のカバレッジエリアは減少し、これにより、物理セルＡのエアインタフェース容量密度が増加する。すなわち、エアインタフェース容量密度を調整する装置が物理セルＡにおけるｐＲＲＵの数を減少させる処理は、物理セルＡに対応するダウンリンク信号を送信用の元の物理セルＡにおけるｐＲＲＵ１〜ｐＲＲＵ３に割当て、物理セルＢに対応するダウンリンク信号を、元の物理セルＢにおけるｐＲＲＵ１〜ｐＲＲＵ６と送信用の元の物理セルＡにおけるｐＲＲＵ４〜ｐＲＲＵ６とに割り当てるとして説明されてもよい。
【００９０】
他の任意的な実現方式として、エアインタフェース容量密度が増加される必要があるターゲット物理セルが論理セルに存在するとき、ターゲット物理セルのエアインタフェース容量密度を調整するステップは、
少なくとも２つの物理セルの各物理セルのエアインタフェース容量密度を増加させるため、ターゲット物理セルを少なくとも２つの物理セルに分割するステップと、
分割によって取得された少なくとも２つの物理セルの各物理セルについて対応するベースバンド支流を別々に設定するステップと、
を含むものであってもよい。
【００９１】
本発明の本実施例では、分割によって取得される少なくとも２つの物理セルの各物理セルについて別々に設定されたベースバンド支流は、ターゲット物理セルのベースバンド支流と、論理セルにおける１つ以上の物理セルが合成された後にアイドルであるベースバンド支流とであってもよく、エアインタフェース容量密度を調整する装置によって再割り当てされるベースバンド支流であってもよいし、あるいは、さらにその組み合わせであってもよく、本発明の本実施例では限定されない。
【００９２】
本発明の本実施例では、エアインタフェース容量密度を調整する装置は、ターゲット物理セルを少なくとも２つの物理セルに分割し、これにより、ターゲット物理セルを分割することによって取得された各物理セルの実際のカバレッジエリアは減少し、ターゲット物理セルを分割することによって取得された各物理セルのエアインタフェース容量密度は増加する。
【００９３】
本発明の本実施例では、ターゲット物理セルを分割することによって取得された物理セルの数は、可変的であり、ターゲット物理セルにおける人口密度及びトラフィック密度によって決定される。
【００９４】
本発明の本実施例では、例えば、論理セルが３個の物理セル、すなわち、物理セルＡ、物理セルＢ及び物理セルＣに分割され、各物理セルが６個のｐＲＲＵから構成されると仮定される。エアインタフェース容量密度を調整する装置が物理セルＡのエアインタフェース容量密度を増加させる必要があるとき、エアインタフェース容量密度を調整する装置がターゲット物理セルのエアインタフェース容量密度を調整する処理を示す概略的な構成図が、図６において示されてもよい。図６は、本発明の実施例に開示される物理セルのエアインタフェース容量密度を増加させる処理の他の概略的な構成図である。図６に示されるように、エアインタフェース容量密度を調整する装置は、物理セルＡを２つの物理セル、すなわち、物理セルＡ１及び物理セルＡ２に分割する。物理セルＡ１は、物理セルＡにあるｐＲＲＵ１，ｐＲＲＵ２及びｐＲＲＵ３から構成され、物理セルＡ２は、物理セルＡにあるｐＲＲＵ４，ｐＲＲＵ５及びｐＲＲＵ６から構成される。すなわち、エアインタフェース容量密度を調整する装置が物理セルＡを２つの物理セル（物理セルＡ１及び物理セルＡ２）に分割する処理は、元の物理セルＡに対応するダウンリンク信号を送信用の元の物理セルＡにおけるｐＲＲＵ１〜ｐＲＲＵ３に割当てるか、又は元の物理セルＡに対応するダウンリンク信号を送信用の元の物理セルＡにおけるｐＲＲＵ〜ｐＲＲＵ６に割当て、すなわち、元の物理セルＡにおけるｐＲＲＵ１〜ｐＲＲＵ３によって送信されるダウンリンク信号と元の物理セルＡにおけるｐＲＲＵ４〜ｐＲＲＵ６によって送信されるダウンリンク信号とを分離し、元の物理セルＡの分割を実現するとして説明されてもよい。
【００９５】
任意的な実現方式として、エアインタフェース容量密度が減少される必要があるターゲット物理セルが論理セルに存在するとき、ターゲット物理セルのエアインタフェース容量密度を調整するステップは、ターゲット物理セルのエアインタフェース容量密度を減少させるため、ターゲット物理セルにおけるｐＲＲＵの数を増加させるステップを含むものであってもよい。
【００９６】
本発明の本実施例では、ターゲット物理セルに追加されるｐＲＲＵの数は、可変的であり、ターゲット物理セルにおける人口密度及びトラフィック密度によって決定される。
【００９７】
本発明の本実施例では、エアインタフェース容量密度が減少される必要があるターゲット物理セルは、ターゲット物理セルにおけるｐＲＲＵの数を増加させるため、ターゲット物理セルに隣接し、エアインタフェース容量密度が増加される必要がある物理セルから削除されるｐＲＲＵをターゲット物理セルに合成してもよい。例えば、図５に示されるように、物理セルＢは、物理セルＢのｐＲＲＵの数を増加させるため、物理セルＡから削除されるｐＲＲＵを物理セルＢに合成し、これにより、物理セルＢのエアインタフェース容量密度が減少する。
【００９８】
他の任意的な方式として、エアインタフェース容量密度が減少される必要があるターゲット物理セルが論理セルに存在するとき、ターゲット物理セルのエアインタフェース容量密度を調整するステップは、ターゲット物理セルのエアインタフェース容量密度を減少させるため、ターゲット物理セルに隣接し、エアインタフェース容量密度が減少される必要がある物理セルをターゲット物理セルに合成するステップを含むものであってもよい。
【００９９】
本発明の本実施例では、論理セルでは、２つの物理セルが合成された後、アイドルのベースバンド支流が利用可能であり、物理セルが合成された後のアイドルのベースバンド支流は、物理セルを分割することによって取得される物理セルのベースバンド支流として設定されるのに利用されてもよい。
【０１００】
本発明の本実施例では、例えば、論理セルが３個の物理セル、すなわち、物理セルＡ、物理セルＢ及び物理セルＣに分割され、各物理セルが６個のｐＲＲＵから構成されると仮定される。エアインタフェース容量密度を調整する装置が物理セルＡのエアインタフェース容量密度を減少させる必要があり、物理セルＢが、エアインタフェース容量密度が減少される必要がある物理セルであるとき、エアインタフェース容量密度を調整する装置がターゲット物理セルのエアインタフェース容量密度を調整する処理を示す概略的な構成図が、図７において示されてもよい。図７は、本発明の実施例に開示される物理セルのエアインタフェース容量密度を減少させる処理の概略的な構成図である。図７に示されるように、エアインタフェース容量密度を調整する装置は、物理セルＢを物理セルＡに合成し、これにより、物理セルＡにおけるｐＲＲＵの数が増加し、物理セルＡのエアインタフェース容量密度が減少する。すなわち、エアインタフェース容量密度を調整する装置が物理セルＢを物理セルＡに合成する処理は、元の物理セルＡに対応するダウンリンク信号を元の物理セルＡにおけるｐＲＲＵ１〜ｐＲＲＵ６と送信用の元の物理セルＢにおけるｐＲＲＵ１〜ｐＲＲＵ６とに割り当てるとして説明されてもよい。
【０１０１】
本発明の本実施例では、エアインタフェース容量密度を調整する装置はまず、エアインタフェース容量密度が調整される必要があるターゲット物理セルが論理セルに存在するか判定し、ここで、論理セルは１つ以上の物理セルに分割され、各物理セルはピコ無線リモートユニットｐＲＲＵのグループから構成され、１つの物理セルは１つのベースバンド支流に対応し、判定結果が、エアインタフェース容量密度が調整される必要があるターゲット物理セルが存在するということであるとき、エアインタフェース容量密度を調整する装置は、ターゲット物理セルのエアインタフェース容量密度を調整する。従って、本発明の本実施例を実現することによって、論理セルにおける物理セルのエアインタフェース容量密度は、物理セルの実際の状況に従って動的に調整可能であり、論理セルにおけるエアインタフェース容量の利用を向上させ、論理セルは分割又は合成される必要はなく、新たなセルライセンスリソースが論理セルに割り当てられる必要はなく、セルライセンスリソースの浪費を減少させ、論理セルにおけるＵＥは、新たな論理セルにハンドオーバされる必要はなく、ＵＥのためのサービスの中断の回数を減少させる。
【０１０２】
上記の実施例では、各実施例の説明はそれぞれのフォーカスを有することが留意されるべきである。実施例において詳細に説明されていない部分について、他の実施例における関連する説明が参照されてもよい。さらに、当業者はまた、本明細書において説明される全ての実施例が例示的な実施例であり、関係するアクション及びモジュールは本発明について必ずしも必須であるとは限らないことを理解すべきである。
【０１０３】
本発明の実施例における方法のステップの順序は調整されてもよく、特定のステップは実際のニーズに従って組み合わせ又は省略されてもよい。
【０１０４】
本発明の実施例におけるモジュールは、実際のニーズに従って組み合わせ、分割又は省略されてもよい。
【０１０５】
本発明の実施例におけるモジュールは、ＣＰＵ（Ｃｅｎｔｒａｌ  Ｐｒｏｃｅｓｓｉｎｇ  Ｕｎｉｔ，中央処理ユニット）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ，特定用途向け集積回路）などの汎用的な集積回路によって実現されてもよい。
【０１０６】
当業者は、実施例における方法の処理の全て又は一部が、関連するハードウェアに指示するコンピュータプログラムによって実現されてもよいことを理解しうる。プログラムは、コンピュータ可読記憶媒体に記憶されてもよい。プログラムが実行されると、実施例における方法の処理が実行される。上記の記憶媒体は、磁気ディスク、光ディスク、読み出し専用メモリ（Ｒｅａｄ−Ｏｎｌｙ  Ｍｅｍｏｒｙ，ＲＯＭ）、ランダム・アクセス・メモリ（Ｒａｎｄｏｍ  Ａｃｃｅｓｓ  Ｍｅｍｏｒｙ，ＲＡＭ）などであってもよい。
【０１０７】
上記は、本発明の実施例に開示されるエアインタフェース容量密度を調整する方法及び装置を詳細に説明している。本明細書では、本発明の原理及び実現方式を示すために具体的な具体例が利用され、実施例の上記の説明は、本発明及び本発明のコアのアイデアを理解するのに役立つことのみ意図している。さらに、当業者は、本発明のアイデアに従って、特定の実現方式及び適用範囲に関する修正を行ってもよい。結論として、本明細書の内容は本発明に対する限定として解釈されるものでない。
【図１】
0006475333.tif 000002
【図２】
0006475333.tif 000003
【図３】
0006475333.tif 000004
【図４】
0006475333.tif 000005
【図５】
0006475333.tif 000006
【図６】
0006475333.tif 000007
【図７】
0006475333.tif 000008